Podtech/llm-jp-corpus-v4-ja_patent huggingface dataset:
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
哺乳動物対象における冠動脈性心疾患を治療又は予防するための薬剤の調製における、式Ｉ若しくは式ＩＩの化合物、
【化１】
2012529486.tif 000001
それらの混合物、それらの立体異性体、それらの互変異性体、それらの溶媒和物、又はそれらの薬学的に許容される塩の使用であって、式中、
各Ｒ1は、Ｈ、ハロゲン、ヒドロキシ、カルボキシ、ニトロ、アミノ、ニトリル、又は置換若しくは非置換のＣ1−Ｃ6アルキル、アルコキシ、ヒドロキシアルキル、シクロアルキル、シクロアルキルアルキル、アルケニル、アリール、アラルキル、ヘテロアリール、へテロアリールアルキル、ヘテロシクリル、ヘテロシクリルアルキル、カルボキシアルキル、アルコキシアルキル、アミノアルキル、ハロアルキル、ハロアルコキシ、アルカノイル、及びアルカノイルオキシ基から独立して選択され、
Ｒ2及びＲ3はそれぞれ、Ｒ2がＨである時、Ｒ3がＯ−Ｒ1であり、Ｒ2がＯ−Ｒ1である時、Ｒ3がＨであるように、Ｈ又はＯ−Ｒ1である、
前記使用。
【請求項２】
式Ｉの前記化合物が、式ＩＡ
【化２】
2012529486.tif 000002
を有し、式中、
Ｒ2及びＲ3はそれぞれ、Ｒ2がＨである時、Ｒ3がＯ−Ｒ1であり、Ｒ2がＯ−Ｒ1である時、Ｒ3がＨであるように、Ｈ又はＯ−Ｒ1である、
請求項１に記載の使用。
【請求項３】
式ＩＩの前記化合物が、式ＩＩＡ
【化３】
2012529486.tif 000003
を有する、請求項１に記載の使用。
【請求項４】
哺乳動物対象における冠動脈性心疾患を治療するための薬剤の調製における、（ｉ）植物ナニワイバラ（Ｆｒｕｃｔｕｓ  Ｒｏｓａｅ  Ｌａｅｖｉｇａｔａｅ）からの有機抽出物；（ｉｉ）前記植物ナニワイバラからの有機抽出物の活性画分；並びに（ｉｉｉ）請求項１に記載の式（Ｉ）若しくは（ＩＩ）の化合物、それらの混合物、それらの立体異性体、それらの互変異性体、それらの溶媒和物、又はそれらの薬学的に許容される塩、から成る群より選択される、化合物、混合物、立体異性体、互変異性体、溶媒和物、薬学的に許容される塩、又は組成物の使用。
【請求項５】
式（Ｉ）若しくは（ＩＩ）の前記化合物、それらの混合物、それらの立体異性体、それらの互変異性体、それらの溶媒和物、並びにそれらの薬学的に許容される塩のうちの１つ以上を、それらを必要としている前記対象に投与することを含む、請求項４に記載の使用。
【請求項６】
虚血性心疾患によって引き起こされた哺乳動物対象の壊死又は損傷心臓組織における血行再建を促進するための薬剤の調製における、請求項１に記載の式（Ｉ）若しくは（ＩＩ）の化合物、それらの混合物、それらの立体異性体、それらの互変異性体、それらの溶媒和物、又はそれらの薬学的に許容される塩の使用。
【請求項７】
虚血心筋又は心筋梗塞において新しい冠側副血管の成長を刺激するために、血管新生因子の発現を、それらを必要としている哺乳動物対象においてアップレギュレーションするための薬剤の調製における、請求項１に記載の式（Ｉ）若しくは（ＩＩ）の化合物、それらの混合物、それらの立体異性体、それらの互変異性体、それらの溶媒和物、又はそれらの薬学的に許容される塩の使用であって、前記血管新生因子が、ＶＥＧＦ、ＶＥＧＦＲ、ＥＧＦ、及びＦＧＦのうちの１つ以上である、前記使用。
【請求項８】
哺乳動物対象における虚血性心疾患又は虚血肢を治療するための薬剤の調製における、請求項１に記載の式（Ｉ）若しくは（ＩＩ）の化合物、それらの混合物、それらの立体異性体、それらの互変異性体、それらの溶媒和物、又はそれらの薬学的に許容される塩の使用。
【請求項９】
前記哺乳動物対象がヒトである、請求項１〜８のいずれか１項に記載の使用。
【請求項１０】
前記化合物、混合物、立体異性体、互変異性体、溶媒和物、薬学的に許容される塩又は組成物が静脈内投与されるように製剤化される、請求項１〜９のいずれか１項に記載の使用。
【請求項１１】
前記化合物、混合物、立体異性体、互変異性体、溶媒和物、薬学的に許容される塩又は組成物が経口投与されるように製剤化される、請求項１〜９のいずれか１項に記載の使用。
【請求項１２】
前記化合物、混合物、立体異性体、互変異性体、溶媒和物、薬学的に許容される塩又は組成物が０．０１ｍｇ／ｋｇ／日〜１０００ｍｇ／ｋｇ／日の量で投与されるように製剤化される、請求項１〜１１のいずれか１項に記載の使用。
【請求項１３】
薬学的に許容される賦形剤、及び式Ｉ又は式ＩＩから選択される化合物、
【化４】
2012529486.tif 000004
を含む、冠動脈性心疾患の治療又は予防で使用するための薬学的組成物であって、式中、各Ｒ1は、Ｈ、ハロゲン、ヒドロキシ、カルボキシ、ニトロ、アミノ、ニトリル、又は置換若しくは非置換のＣ1−Ｃ6アルキル、アルコキシ、ヒドロキシアルキル、シクロアルキル、シクロアルキルアルキル、アルケニル、アリール、アラルキル、ヘテロアリール、へテロアリールアルキル、ヘテロシクリル、ヘテロシクリルアルキル、カルボキシアルキル、アルコキシアルキル、アミノアルキル、ハロアルキル、ハロアルコキシ、アルカノイル、及びアルカノイルオキシ基から独立して選択され、
Ｒ2及びＲ3はそれぞれ、Ｒ2がＨである時、Ｒ3がＯ−Ｒ1であり、Ｒ2がＯ−Ｒ1である時、Ｒ3がＨであるように、Ｈ又はＯ−Ｒ1である、
薬学的組成物。
【請求項１４】
式Ｉの前記化合物が構造ＩＡ
【化５】
2012529486.tif 000005
を有し、式中、
Ｒ2及びＲ3はそれぞれ、Ｒ2がＨである時、Ｒ3がＯ−Ｒ1であり、Ｒ2がＯ−Ｒ1である時、Ｒ3がＨであるように、Ｈ又はＯ−Ｒ1である、
請求項１３に記載の組成物。
【請求項１５】
式ＩＩの前記化合物が構造ＩＩＡ
【化６】
2012529486.tif 000006
を有する、請求項１３に記載の組成物。
【請求項１６】
抗不整脈薬又は心血管治療薬をさらに含む、請求項１３に記載の組成物。
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
赤血球（ＲＢＣ）凝固の治療又は予防を必要とする哺乳動物対象の赤血球凝固を治療又は予防するための医薬の製造における、有効量のダイコンソウの有機抽出物を含む組成物の使用。
【請求項２】
前記有機抽出物が、エタノール抽出物である、請求項１に記載の使用。
【請求項３】
前記有機抽出物が、メタノール抽出物である、請求項１に記載の使用。
【請求項４】
前記ＲＢＣ凝固が、糖尿病、マラリア、心不全、虚血性心疾患、脳卒中、脳低灌流、虚血肢、高血圧、血液学的障害、又は感覚消失に関連する、請求項１〜３のいずれかに記載の使用。
【請求項５】
前記対象がヒトである、請求項１〜４のいずれかに記載の使用。
【請求項６】
ダイコンソウの前記抽出物が経口で投与されるように製剤化される、請求項１〜５のいずれか１項に記載の使用。
【請求項７】
ダイコンソウの前記抽出物が、皮下注射、筋肉注射、又は静脈内注入によって投与されるように製剤化される、請求項１〜５のいずれか１項に記載の使用。
【請求項８】
前記抽出物が、０．０１ｍｇ／ｋｇ／日〜１００００ｍｇ／ｋｇ／日の量で投与されるように製剤化される、請求項１〜７のいずれか１項に記載の使用。
【請求項９】
前記有効量の前記抽出物が、前記抽出物と薬学的に許容される担体とを含む製剤の形態にある、請求項１〜８のいずれか１項に記載の使用。
【請求項１０】
哺乳動物対象の赤血球凝集を阻害するための薬学的組成物であって、有効量のダイコンソウの有機抽出物と薬学的に許容される担体とを含む、組成物。
【請求項１１】
前記有機抽出物が、エタノール抽出物である、請求項１０の組成物。
【請求項１２】
前記有機抽出物が、メタノール抽出物である、請求項１０の組成物。
【手続補正２】
【補正対象書類名】明細書
【補正対象項目名】発明の名称
【補正方法】変更
【補正の内容】
【発明の名称】赤血球凝固の予防及び治療のための組成物並びに方法
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
心不全の防止又は治療を必要とする哺乳類対象において心不全を防止又は治療するための医薬の製造における、有効量のトリテルペノイドポリフェノール組成物を含む組成物の使用であって、前記トリテルペノイドポリフェノール組成物は、
（ｉ）アジアティック酸（Ａｓｉａｔｉｃ  ａｃｉｄ）、ニガ‐イチゴシドＦ１（Ｎｉｇａ−ｉｃｈｉｇｏｓｉｄｅ  Ｆ１）、カジ‐イチゴシドＦ１（Ｋａｊｉ−ｉｃｈｉｇｏｓｉｄｅ  Ｆ１）、オイスカフ酸（Ｅｕｓｃａｐｈｉｃ  ａｃｉｄ）、アジアチコシド（Ａｓｉａｔｉｃｏｓｉｄｅ）、トルメント酸（Ｔｏｒｍｅｎｔｉｃ  ａｃｉｄ）、及びマデカス酸（Ｍａｄｅｃａｓｓｉｃ  ａｃｉｄ）からなる群から選択される１つ以上のトリテルペノイドと、
（ｉｉ）ゲミンＡ（Ｇｅｍｉｎ  Ａ）、カスアリニン、テリマグランジンＩＩ、ポテンチリン（Ｐｏｔｅｎｔｉｌｌｉｎ）、及びエラグ酸からなる群から選択される１つ以上のポリフェノールと、を含む、前記使用。
【請求項２】
前記トリテルペノイドポリフェノール組成物は、アジアティック酸、ニガ‐イチゴシドＦ１、カジ‐イチゴシドＦ１、オイスカフ酸、アジアチコシド、トルメント酸、マデカス酸、ゲミンＡ、カスアリニン、テリマグランジンＩＩ、ポテンチリン、及びエラグ酸を含む、請求項１に記載の使用。
【請求項３】
前記心不全が、心筋梗塞、高血圧、虚血性心疾患、心毒性化合物への曝露、心筋炎、甲状腺疾患、ウイルス感染、歯肉炎、薬物乱用、アルコール乱用、心膜炎、アテローム性動脈硬化、血管疾患、肥大型心筋症、急性心筋梗塞、左心室収縮機能障害、冠状動脈バイパス手術、飢餓、摂食障害、又は遺伝的欠陥に起因する、請求項１又は２に記載の使用。
【請求項４】
前記対象がヒトである、請求項１〜３のいずれかに記載の使用。
【請求項５】
前記組成物が、経口的に、局所的に、全身的に、静脈内に、皮下に、腹腔内に、又は筋肉内に投与されるように製剤化される、請求項１〜４のいずれかに記載の使用。
【請求項６】
利尿薬、ＡＣＥ阻害剤、ジゴキシン、及びベータ遮断薬からなる群から選択される追加的治療剤をさらに含む、請求項１〜５のいずれかに記載の使用。
【請求項７】
前記組成物が、０．０１ｍｇ／ｋｇ／日〜１０００ｍｇ／ｋｇ／日の量で投与されるように製剤化される、請求項１〜６のいずれか１項に記載の使用。
【請求項８】
前記有効量の前記組成物が、前記組成物とその適切な担体又は賦形剤とを含む、薬学的製剤の形態にある、請求項１〜７のいずれか１項に記載の使用。
【請求項９】
心不全の防止又は治療を必要とする哺乳類対象において心不全を防止又は治療するための医薬の製造における、ダイコンソウ単独又はセンテラ・アジアティカと組み合わせた有効量の有機抽出物を含む組成物の使用。
【請求項１０】
前記抽出物が、１日につき対象の体重１キログラム当たり、前記抽出物約０．００１ｍｇ〜約２０００ｍｇの範囲の量で投与されるように製剤化される、請求項９に記載の使用。
【請求項１１】
前記抽出物が、経口投与されるように製剤化される、請求項９〜１０のいずれか１項に記載の使用。
【請求項１２】
前記抽出物が、皮下注射、筋肉内注射、又は静脈内注入によって投与されるように製剤化される、請求項９〜１１のいずれか１項に記載の使用。
【請求項１３】
抽出物が、ダイコンソウ単独又はセンテラ・アジアティカと組み合わせた低級アルキルアルコール抽出物である、請求項９〜１２のいずれか１項に記載の使用。
【請求項１４】
前記低級アルキルアルコールが、１〜６個の炭素原子を有する、請求項１３に記載の使用。
【請求項１５】
前記低級アルキルアルコールが、エタノールである、請求項１３に記載の使用。
【請求項１６】
前記対象がヒトである、請求項９〜１５のいずれか１項に記載の使用。
【請求項１７】
有効量のトリテルペノイドポリフェノール組成物を含む、哺乳類対象の心不全を治療するための薬学的組成物であって、前記トリテルペノイドポリフェノール組成物が、
（ｉ）アジアティック酸、ニガ‐イチゴシドＦ１、カジ‐イチゴシドＦ１、オイスカフ酸、アジアチコシド、トルメント酸、及びマデカス酸からなる群から選択される１つ以上のトリテルペノイドと、
（ｉｉ）ゲミンＡ、カスアリニン、テリマグランジンＩＩ、ポテンチリン、及びエラグ酸からなる群から選択される１つ以上のポリフェノール
とを含む、前記薬学的組成物。
【請求項１８】
前記トリテルペノイドポリフェノール組成物は、アジアティック酸、ニガ‐イチゴシドＦ１、カジ‐イチゴシドＦ１、オイスカフ酸、アジアチコシド、トルメント酸、マデカス酸、ゲミンＡ、カスアリニン、テリマグランジンＩＩ、ポテンチリン、及びエラグ酸を含む、請求項１７に記載の薬学的組成物。
【請求項１９】
ダイコンソウの有効量の有機抽出物と、薬学的に許容される担体とを含む、哺乳類対象の心不全を治療するための薬学的組成物。
【請求項２０】
前記有機抽出物がエタノール抽出物である、請求項１９に記載の組成物。
【請求項２１】
前記有機抽出物がメタノール抽出物である、請求項１９に記載の組成物。
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
哺乳類対象の変性神経疾患又は状態を予防又は治療するための薬剤の調製における、ダイコンソウの有機抽出物の使用。
【請求項２】
前記変性神経疾患又は状態が、虚血性脳卒中、アルツハイマー病、血管性認知症、軽度認知機能障害（ＭＣＩ）、慢性脳虚血、及びパーキンソン病から成る群より選択される、請求項１に記載の使用。
【請求項３】
ダイコンソウの前記有機抽出物が、ダイコンソウの前記抽出物が投与されなかった対照に比較して、虚血性脳卒中を有する対象において脳血液かん流又は神経再生を向上させる、請求項１又は２に記載の使用。
【請求項４】
ダイコンソウの前記抽出物は、虚血脳の血管新生を誘発し、それによって血液かん流を向上させる、請求項１〜３のいずれか１項に記載の使用。
【請求項５】
ダイコンソウの前記抽出物が、１日につき対象の体重１キログラムあたり、約０．００１ｍｇ〜約１０ｇの範囲の量で投与されるように配合される、請求項１〜４のいずれか１項に記載の使用。
【請求項６】
ダイコンソウの前記抽出物が、薬学的に許容される担体を含む服用量単位形態で投与されるように配合される、請求項１〜５のいずれか１項に記載の使用。
【請求項７】
ダイコンソウの前記抽出物が、神経再生を刺激する、請求項１〜６のいずれか１項に記載の使用。
【請求項８】
ダイコンソウの前記抽出物が、ダイコンソウの前記抽出物が投与されなかった対照に比較して、脳虚血梗塞領域の大きさを減少させる、請求項１〜７のいずれか１項に記載の使用。
【請求項９】
ダイコンソウの前記抽出物が、経口投与されるように配合される、請求項１〜８のいずれか１項に記載の使用。
【請求項１０】
ダイコンソウの前記抽出物が、皮下注射、筋肉内注射、又は静脈内注入によって投与されるように配合される、請求項１〜８のいずれか１項に記載の使用。
【請求項１１】
前記抽出物が、ダイコンソウの低級アルキルアルコール抽出物である、請求項１〜１０のいずれか１項に記載の使用。
【請求項１２】
前記低級アルキルアルコールが、１〜６個の炭素原子を有する、請求項１１に記載の使用。
【請求項１３】
前記低級アルキルアルコールが、エタノールである、請求項１１に記載の使用。
【請求項１４】
前記対象が、ヒトである、請求項１〜１３のいずれか１項に記載の使用。
【請求項１５】
ダイコンソウの有機抽出物と、薬学的に許容される担体とを含む、哺乳類対象において変性神経疾患又は状態を治療するための薬学的組成物。
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
2型糖尿病を治療するための薬剤を調製するための、FGF21化合物とGLP-1化合物との組合せの使用。
【請求項２】
GLP-1化合物が、SEQ ID NO:3、SEQ ID NO:4のアミノ酸配列を含むか、あるいは最大で15個のアミノ酸の置換、欠失、および/または付加を有するSEQ ID NO:3または4の類似体である、請求項1に記載の使用。
【請求項３】
GLP-1化合物が、アルブミン結合部分を含むGLP-1誘導体である、請求項1から2のいずれか一項に記載の使用。
【請求項４】
アルブミン結合部分が、少なくとも1つ、好ましくは少なくとも2つ、より好ましくは2つの遊離カルボン酸基を、またはその薬学的に許容される塩を含む、請求項3に記載の使用。
【請求項５】
アルブミン結合部分が、脂肪酸またはジカルボン酸のアシル、例えばヘキサデカノイル-および15-カルボキシペンタデカノイル-などのアシル基であって、C12、C14、C16、C18、C20、C22またはC24、最も好ましくはC16、C18またはC20など、全部で12〜24個の炭素原子を好ましくは含むアシル基、あるいはその薬学的に許容される塩を含む、請求項3から4のいずれか一項に記載の使用。
【請求項６】
アシル基が、GLP-1ペプチドのリシン残基のε-アミノ基にリンカーを介して結合されており、ここで、該リンカーは、少なくとも1つのOEG基(OEGとは8-アミノ-3,6-ジオキサオクタン酸である)、少なくとも1つのTrx基(Trxとはトラネキサム酸、またはトランス-4-(アミノメチル)シクロヘキサンカルボン酸:
【化１】
2012529463.tif 000001
である)、および/または少なくとも1つのGlu(グルタミン)基を好ましくは含む、請求項5に記載の使用。
【請求項７】
GLP-1化合物が、
・N-ε26-((S)-4-カルボキシ-4-ヘキサデカノイルアミノブチリル)[Arg34]GLP-1-(7-37):
【化２】
2012529463.tif 000002
(化合物G1);
・N-ε37-[2-(2-{2-[2-(2-{2-[(S)-4-カルボキシ-4-({トランス-4-[(19-カルボキシノナデカノイルアミノ)メチル]シクロヘキサンカルボニル}アミノ)ブチリルアミノ]エトキシ}エトキシ)アセチルアミノ]エトキシ}エトキシ)アセチル][デスアミノHis7,Glu22,Arg26,Arg34,Lys37]GLP-1-(7-37):
【化３】
2012529463.tif 000003
(化合物G2);
・N-ε26-[2-(2-{2-[2-(2-{2-[(S)-4-カルボキシ-4-(17-カルボキシヘプタデカノイルアミノ)ブチリルアミノ]エトキシ}エトキシ)アセチルアミノ]エトキシ}エトキシ)アセチル][Aib8,Arg34]GLP-1-(7-37):
【化４】
2012529463.tif 000004
(化合物G3);
・N-ε37-[2-(2-{2-[2-(2-{2-[(S)-4-カルボキシ-4-(15-カルボキシペンタデカノイルアミノ)ブチリルアミノ]エトキシ}エトキシ)アセチルアミノ]エトキシ}エトキシ)アセチル][Aib8,22,35,Lys37]GLP-1-(7-37):
【化５】
2012529463.tif 000005
(化合物G4);
および
・これらの薬学的に許容される塩、アミド、アルキル、またはエステル;
から選択される、請求項1から6のいずれか一項に記載の使用。
【請求項８】
FGF21化合物が、SEQ ID NO:1のアミノ酸配列を含むか、あるいはその最大で30個のアミノ酸の置換、欠失、および/または付加を有する類似体である、請求項1から7のいずれか一項に記載の使用。
【請求項９】
FGF21化合物が、アルブミン結合部分を含むFGF21誘導体である、請求項1から8のいずれか一項に記載の使用。
【請求項１０】
アルブミン結合部分が、少なくとも1つ、好ましくは少なくとも2つ、より好ましくは2つの遊離カルボン酸基、またはその薬学的に許容される塩を含む、請求項9に記載の使用。
【請求項１１】
アルブミン結合部分が、脂肪酸またはジカルボン酸のアシル、例えば17-カルボキシヘプタデカノイル-および19-カルボキシノナデカノイル-などのアシル基であって、C12、C14、C16、C18、C20、C22またはC24、最も好ましくはC18またはC20など、全部で12〜24個の炭素原子を好ましくは含むアシル基、あるいはその薬学的に許容される塩を含む、請求項9から10のいずれか一項に記載の使用。
【請求項１２】
アシル基が、FGF21ペプチドのN-末端アミノ酸残基のアミノ基、例えば-1Mのアミノ基に、またはFGF21ペプチドの内部システイン残基のチオール基、例えば71Cのチオール基にリンカーを介して結合されており、ここで、該リンカーは、少なくとも1つのOEG基(OEGとは8-アミノ-3,6-ジオキサオクタン酸である)、および/または少なくとも1つのGlu(グルタミン)基を好ましくは含む、請求項11に記載の使用。
【請求項１３】
FGF21化合物が、
・SEQ ID NO:1を有するポリペプチド(ヒトFGF21);
・付加されたN-末端Metを有するSEQ ID NO:1を有するポリペプチド(Met-FGF21_ヒト化合物F1);
・S-71-({2-[2-(2-{2-[2-(2-{2-[(S)-4-カルボキシ-4-(19-カルボキシノナデカノイルアミノ)ブチリルアミノ]エトキシ}エトキシ)アセチルアミノ]エトキシ}エトキシ)アセチルアミノ]エチルカルバモイル}メチル)[Cys71]Met-FGF21(化合物F2);および
・N-α1-[2-(2-{2-[2-(2-{2-[(S)-4-カルボキシ-4-(17-カルボキシヘプタデカノイルアミノ)ブチリルアミノ]エトキシ}エトキシ)アセチルアミノ]エトキシ}エトキシ)アセチル][Arg56,Arg59,Arg69,Arg122]-Met-FGF21(化合物F3);ならびに
・これらの薬学的に許容される塩、アミド、アルキル、またはエステル;
から選択される、請求項1から12のいずれか一項に記載の使用。
【請求項１４】
化合物が、同時および/または逐次的に投与される、請求項1から13のいずれか一項に記載の使用。
【請求項１５】
2型糖尿病を治療するための、FGF21化合物とGLP-1化合物との組合せ。
【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
式Ｉ：
シクロ［Ａｒｇ1−Ａｒｇ2−Ｐｒｏ3−Ｐｒｏ4−Ｔｙｒ5−（Ａｒｇ6）m−Ｘ7］  （Ｉ）
｛式中、
ｍは、０又は１であり；
Ｘ7は、Ａｓｎ、又は以下の式：
【化１】
2012529444.tif 000001
（式中、ｎは、０、２、又は６である）
で表されるＧｌｘ基から選択され；そして、
Ｘ7は、該ペプチド又はペプチド模倣化合物を環化するようにペプチド結合を介してＡｒｇ1に連結される｝
で表される環状ペプチド又は環状ペプチド模倣化合物、あるいは
以下の位置の１つで式Ｉとは異なる化合物であって、それにより、式Ｉと異なっている場合、
Ａｒｇ1の位置にある残基は、Ｌｙｓ又はＨｉｓによって置換され；又は
Ａｒｇ2の位置にある残基は、Ｌｙｓ又はＨｉｓによって置換され；又は
Ａｒｇ6の位置にある残基は、Ｌｙｓ又はＨｉｓによって置換され；又は
Ｔｙｒ5の位置にある残基は、Ｔｒｐ、ナフチルアラニン、Ｐｈｅ、Ｍｅｔ、Ｖａｌ、Ｉｌｅ又はＬｅｕによって置換される化合物、
あるいは、そのレトロ類似体又はその医薬として許容される塩。
【請求項２】
位置Ａｒｇ1で変化を含み、この場合、該残基はＬｙｓ又はＨｉｓに置換される、請求項１に記載の化合物。
【請求項３】
位置Ａｒｇ2で変化を含み、この場合、該残基はＬｙｓ又はＨｉｓに置換される、請求項１に記載の化合物。
【請求項４】
位置Ａｒｇ6で変化を含み、この場合、該残基はＬｙｓ又はＨｉｓに置換される、請求項１に記載の化合物。
【請求項５】
位置Ｔｙｒ5で変化を含み、この場合、該残基はＴｒｐ、ナフチルアラニン、Ｐｈｅ、Ｍｅｔ、Ｖａｌ、Ｌｌｅ又はＬｅｕに置換される、請求項１に記載の化合物。
【請求項６】
シクロ（ＲＲＰＰＹＱ）、シクロ（ＲＲＰＰＹＲＱ）、シクロ（ＲＲＰＰＹＮ）、シクロ（ＲＲＰＰＷＮ）、又はそのレトロ類似体である請求項１〜５のいずれか１項に記載の化合物、又はその医薬として許容される塩。
【請求項７】
請求項１〜６のいずれか１項に記載の１以上の化合物及び薬学的担体を含む医薬組成物。
【請求項８】
前記組成物が経口投与可能である、請求項７に記載の医薬組成物。
【請求項９】
有効量の請求項１〜６のいずれか１項に記載のペプチドを細胞の集団に投与し、それにより、細胞間のギャップ結合コミュニケーションを調節することを含む、細胞の集団におけるギャップ結合コミュニケーションを調節するインビトロにおける方法。
【請求項１０】
治療に使用するための、請求項１〜６のいずれか１項に記載の化合物。
【請求項１１】
治療法が、循環器疾患、気道上皮炎、肺胞組織障害、聴覚障害、内皮病変、糖尿病性網膜症、糖尿病性神経障害、中枢神経系虚血、脊髄虚血、歯組織障害、骨粗鬆症、腎臓病、骨髄移植不全、外傷、勃起障害、尿失禁、神経障害性疼痛、亜慢性及び慢性炎症、癌、移植不全；乾癬及び過剰な反応性酸素種及び／又はフリーラジカル及び／又は一酸化窒素を原因とした皮膚疾患から成る群から選択される、治療方法に利用するための請求項１〜６のいずれか１項に記載の化合物。
【請求項１２】
機能低下したギャップ結合コミュニケーションに関わる病態を治療するための薬剤の製造における、請求項１〜６のいずれか１項に記載の化合物の使用。
【請求項１３】
患者がヒトである、請求項１２に記載の使用。
【請求項１４】
病態が、循環器疾患、気道上皮炎、肺胞組織障害、聴覚障害、内皮病変、糖尿病性網膜症、糖尿病性神経障害、中枢神経系虚血、脊髄虚血、歯組織障害、骨粗鬆症、腎臓病、骨髄移植不全、外傷、勃起障害、尿失禁、神経障害性疼痛、亜慢性及び慢性炎症、癌、移植不全；乾癬及び過剰な反応性酸素種及び／又はフリーラジカル及び／又は一酸化窒素を原因とした皮膚疾患から成る群から選択される、請求項１２又は１３に記載の使用。
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
下記の一般式Ｉを有する化合物のオリゴマー、またはその医薬的に許容される塩もしくは錯体であって、新生物組織を前記オリゴマーと直接接触させ、前記新生物組織を失活化させることによる前記新生物組織に関連する医学的状態の処置に使用するためのオリゴマーまたはその医薬的に許容される塩もしくは錯体：
2012529497.tif 000001
但し、上記式において、
ＹはＯまたはＳである；
Ｚはヒドロキシまたはチオールである；
Ａは、１個〜２０個の炭素原子をその骨格鎖に有する、分岐または非分岐の、置換または非置換の飽和した脂肪族炭化水素鎖または不飽和な脂肪族炭化水素鎖である；
Ｘは前記脂肪族炭化水素鎖のハロゲン置換基である；かつ
ｎは１〜１０の整数であり、ハロゲン置換基の数を表す。
【請求項２】
前記処置は、新生物皮膚または粘膜組織上への前記オリゴマーの局所投与、内部新生物組織上への前記オリゴマーの局所投与、前記新生物組織内への前記オリゴマーの腫瘍内投与、前記新生物組織上または前記新生物組織内への前記オリゴマーの定位投与、および前記新生物組織の血管への前記オリゴマーの血管内投与を含む、請求項１に記載のオリゴマー。
【請求項３】
前記処置は、前記オリゴマーの失活化有効量を投与することを含む、請求項１に記載のオリゴマー。
【請求項４】
前記オリゴマーは、医薬的に許容されるキャリアをさらに含む医薬組成物の一部を形成する、請求項１〜３のいずれかに記載のオリゴマー。
【請求項５】
前記新生物組織の少なくとも一部を外科的に除くことと組み合わせて使用するためのものである、請求項１〜３のいずれかに記載のオリゴマー。
【請求項６】
新生物組織に関連する医学的状態の処置に使用するための下記の一般式Ｉを有する化合物のオリゴマー、またはその医薬的に許容される塩もしくは錯体：
2012529497.tif 000002
但し、上記式において、
ＹはＯまたはＳである；
Ｚはヒドロキシまたはチオールである；
Ａは、１個〜２０個の炭素原子をその骨格鎖に有する、分岐または非分岐の、置換または非置換の飽和した脂肪族炭化水素鎖または不飽和な脂肪族炭化水素鎖である；
Ｘは前記脂肪族炭化水素鎖のハロゲン置換基である；かつ
ｎは２〜１０の整数であり、ハロゲン置換基の数を表す。
【請求項７】
前記オリゴマーは、医薬的に許容されるキャリアをさらに含む医薬組成物の一部を形成する、請求項６に記載のオリゴマー。
【請求項８】
前記新生物組織の少なくとも一部を外科的に除くことと組み合わせて使用するためのものである、請求項６または７に記載のオリゴマー。
【請求項９】
悪性新生物組織に関連する医学的状態を有し、前記悪性新生物組織の少なくとも一部を除くための外科的手順を受ける対象の血管内および／またはリンパ管内への悪性細胞の播種を軽減するか、またはなくすのに使用するために特定される、請求項１に記載のオリゴマー。
【請求項１０】
悪性細胞に対する全身性免疫応答を誘導するために使用するための請求項１に記載のオリゴマー。
【請求項１１】
悪性新生物組織に関連する医学的状態を有し、前記悪性新生物組織の少なくとも一部を除くための外科的手順を受ける対象の血管内および／またはリンパ管内への悪性細胞の播種を軽減するか、またはなくすのに使用するために特定される、請求項６に記載のオリゴマー。
【請求項１２】
悪性細胞に対する全身性免疫応答を誘導するために使用するための、請求項６に記載のオリゴマー。
【請求項１３】
下記の一般式Ｉを有する化合物、またはその医薬的に許容される塩もしくは錯体であって、内部新生物組織を前記化合物と直接接触させ、前記内部新生物組織を失活化させることによる前記内部新生物組織に関連する医学的状態の処置に使用するための化合物またはその医薬的に許容される塩もしくは錯体：
2012529497.tif 000003
但し、上記式において、
ＹはＯまたはＳである；
Ｚはヒドロキシまたはチオールである；
Ａは、１個〜２０個の炭素原子をその骨格鎖に有する、分岐または非分岐の、置換または非置換の飽和した脂肪族炭化水素鎖または不飽和な脂肪族炭化水素鎖である；
Ｘは前記脂肪族炭化水素鎖のハロゲン置換基である；かつ
ｎは１〜１０の整数であり、ハロゲン置換基の数を表す。
【請求項１４】
前記処置は、内部新生物組織上への前記化合物の局所投与、前記新生物組織内への前記化合物の腫瘍内投与、前記新生物組織上または前記新生物組織内への前記化合物の定位投与、および前記新生物組織の血管への前記化合物の血管内投与を含む、請求項１３に記載の化合物。
【請求項１５】
前記処置は、前記化合物の失活化有効量を投与することを含む、請求項１３に記載の化合物。
【請求項１６】
前記化合物は、医薬的に許容されるキャリアをさらに含む医薬組成物の一部を形成する、請求項１３〜１５のいずれかに記載の化合物。
【請求項１７】
前記新生物組織の少なくとも一部を外科的に除くことと組み合わせて使用するためのものである、請求項１３〜１５のいずれかに記載の化合物。
【請求項１８】
悪性新生物組織に関連する医学的状態を有し、前記悪性新生物組織の少なくとも一部を除くための外科的手順を受ける対象の血管内および／またはリンパ管内への悪性細胞の播種を軽減するか、またはなくすのに使用するために特定される、請求項１３に記載の化合物。
【請求項１９】
悪性細胞に対する全身性免疫応答を誘導するために使用するための、請求項１３に記載の化合物。
【請求項２０】
請求項１に記載のオリゴマーを調製する方法であって、前記一般式Ｉを有する化合物のモノマー形態を、水溶液の存在下、１５０℃〜２５０℃の温度で加熱し、それにより、前記オリゴマーを得ることを含む方法。
【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
自動車のフレームに対して原動機の位置を固定するリンクにおいて、
胴部と、
前記胴部の第１の端部と一体に形成された第１のマウントと、
前記胴部の前記第１の端部の反対側の第２の端部と一体に形成された第２のマウントと、を備え、
前記胴部は、前記胴部と一体に形成されており前記胴部の対向する側部からほぼ垂直に延在し且つ前記第１のマウントと前記第２のマウントとの間で長手方向に延在する対向フランジを含み、
前記第１のマウントは、連続的なリング体を備え、
前記連続的なリング体は、内側環状壁と外側環状壁とを備え、
前記外側環状壁は、前記内側環状壁から外側に同心円状に離隔し、接続壁によって前記内側環状壁に接続されており、
前記内側環状壁は、第１の軸が通る第１の中心開口部を画成し、
前記外側環状壁は、連続的な表面を前記対向フランジと形成し、
前記第２のマウントは、近位端部と、反対側の遠位端部と、を備え、
前記近位端部は、前記胴部の前記第２の端部と一体であるとともに前記対向フランジと一体であり、
前記遠位端部は、前記第２のマウントがループ体を形成するように、前記近位端部に向かって曲がっており、
前記ループ体は、第２の軸の周りの第２の中心開口部を包囲し、
前記第２の軸は、前記第１の軸とほぼ垂直であり、
前記遠位端部は、前記胴部の前記第２の端部に配置された受け部に支持される面取り端部を画成し、
前記リンクはモノリシック構造であって全体にわたって実質的に一定の厚さである、リンク。
【請求項２】
前記胴部は、前記対向フランジの間に位置し前記リンクの剛性を増加させる補強リブを画成する、請求項１に記載のリンク。
【請求項３】
前記胴部又は前記ループ体において画成され前記リンクの剛性を増加させる補強リブを含む、請求項１に記載のリンク。
【請求項４】
車両エンジンを車体のフレームに固定するためのエンジンマウント組立部品において、
胴部と、前記胴部の第１の端部と一体に形成された第１のマウントと、前記胴部の前記第１の端部の反対側の第２の端部と一体に形成された第２のマウントと、を有するリンクを備え、
前記胴部は、前記胴部と一体に形成されており前記胴部の対向する側部からほぼ垂直に延在し且つ前記第１のマウントと前記第２のマウントとの間で長手方向に延在する対向フランジを含み、
前記リンクは、モノリシック構造であって全体にわたって実質的に一定の厚さを有し、
前記第１のマウントは、近位端部と、反対側の遠位端部と、を備え、
前記近位端部は、前記胴部の前記第１の端部と一体であるとともに前記対向フランジと一体であり、
前記遠位端部は、前記第１のマウントがループ体を形成するように、前記近位端部に向かって曲がっており、
前記遠位端部は、前記胴部の前記第１の端部に配置された受け部に支持される面取り端部を画成し、
前記第１のマウントは、前記ループ体内で第１の弾性コネクタを受け、
前記第２のマウントは、その中の環状開口部内で第２の弾性コネクタを受け、
前記第１のマウントは、前記ループ体を通る第１の軸を定義し、
前記第２のマウントは、前記環状開口部を通る第２の軸を定義し、
前記第１の軸は、前記第２の軸とほぼ垂直であり、
前記第２のマウントは、内側環状壁と外側環状壁とを備え、
前記外側環状壁は、前記内側環状壁から外側に同心円状に離隔し、接続壁によって前記内側環状壁に接続されており、
前記内側環状壁は、前記環状開口部を画成し、
前記外側環状壁は、連続的な表面を前記対向フランジと形成しており、
第１の締結要素が車体のフレームに接続されるとともに前記第１のマウントの前記第１の弾性コネクタに受けられ、第２の締結要素が車両エンジンに接続されるとともに前記第２のマウントの前記第２の弾性コネクタに受けられることで、前記車両エンジンを前記車体の前記フレームに固定する、
エンジンマウント組立部品。
【請求項５】
前記第１の締結要素と前記第２の締結要素とは、それぞれ、前記車両フレームと前記車両エンジンとの間の前記組立部品を固定するための締結組立部品を含む、請求項４に記載の組立部品。
【請求項６】
前記内側環状壁は、前記外側環状壁の軸方向寸法より大きい軸方向寸法を有する、請求項４に記載の組立部品。
【請求項７】
自動車のフレームに原動機を取り付けるためのリンク組立部品において、
胴部と、
第１のマウントであって、前記胴部の第１の端部と一体に形成され、第１の環状開口部を第１の連続壁と画成し、前記第１の環状開口部がそれを通る第１の軸を定義する、第１のマウントと、
第２のマウントであって、前記胴部の前記第１の端部の反対側の第２の端部と一体に形成され、第２の環状開口部を第２の連続壁と画成し、前記第２の環状開口部がそれを通る第２の軸を定義し、前記第１の軸が前記第２の軸とほぼ垂直である、第２のマウントと、を備え、
前記胴部は、前記胴部と一体に形成されており前記胴部の対向する側部からほぼ垂直に延在し且つ前記第１のマウントと前記第２のマウントとの間で長手方向に延在する対向フランジを含み、
前記第１のマウントは、近位端部と、反対側の遠位端部とを備え、
前記近位端部は、前記胴部の前記第１の端部と一体であるとともに前記対向フランジと一体であり、
前記遠位端部は、前記第１のマウントがループ体を形成するように、前記近位端部に向かって曲がっており、
前記遠位端部は、前記胴部の前記第１の端部に配置された受け部に支持され、
前記第２のマウントは、内側環状壁と外側環状壁とを備え、
前記外側環状壁は、前記内側環状壁から外側に同心円状に離隔し、接続壁によって前記内側環状壁に接続されており、
前記内側環状壁は、前記第２の環状開口部を画成し、
前記外側環状壁は、連続的な表面を前記対向フランジと形成し、
前記組立部品は全体にわたって実質的に一定の厚さを有する連続シート材から形成される、
リンク組立部品。
【請求項８】
前記第１の環状開口部は第１の弾性グロメットを受け、前記第２の環状開口部は第２の弾性グロメットを受ける、請求項７に記載の組立部品。
【請求項９】
前記内側環状壁は、前記外側環状壁の軸方向長さより大きくそれによってＪ字型の断面を画成する軸方向長さを有する、請求項７に記載の組立部品。
【請求項１０】
前記胴部は、前記第１のマウントと前記第２のマウントとの間に配置された補強リブを含む、請求項７に記載の組立部品。
【請求項１１】
前記第１のマウント又は前記第２のマウントは、補強リブを含む、請求項７に記載の組立部品。
【請求項１２】
前記第１のマウント又は前記第２のマウントの一方を前記胴部に接合させる溶接継ぎ手を含む、請求項７に記載の組立部品。
【手続補正書】
【提出日】平成25年4月11日(2013.4.11)
【手続補正１】
【補正対象書類名】特許請求の範囲
【補正対象項目名】全文
【補正方法】変更
【補正の内容】
【特許請求の範囲】
【請求項１】
チャネルを有する縦通材と、
チャネル内部に位置して、任意の数の無線信号を搬送することができる導波管と
を備えている装置。
【請求項２】
縦通材と関連付けられて、導波管内を搬送される任意の数の無線信号を交換することができる複数のデバイス
を更に備えている、請求項１に記載の装置。
【請求項３】
縦通材は、航空機の胴体の外板、航空機の翼の外板、航空機のフレーム、及び航空機のリブのうちの一つに取り付け可能である、請求項１に記載の装置。
【請求項４】
各々が関連する導波管を有している任意の数の縦通材
を更に備えている、請求項１に記載の装置。
【請求項５】
導波管へのアクセス点
を更に備えている、請求項１に記載の装置。
【請求項６】
アクセス点が、伝送線路、プローブ、及びアンテナのうちの一つからなっている、請求項５に記載の装置。
【請求項７】
縦通材が内部に取り付けられている航空機
を更に備えている、請求項１に記載の装置。
【請求項８】
縦通材が、
チャネルを有する複合縦通材と、
チャネル内に位置して導波管を形成している導電材料と
を含んでいる、請求項１に記載の装置。
【請求項９】
ビークル内で無線信号を送信するための方法であって、
ビークル内において、第１のデバイスから任意の数の縦通材内に位置する任意の数の導波管の中へと任意の数の無線信号を送信することと、
任意の数の縦通材内の任意の数の導波管内で任意の数の無線信号を搬送することと、
第２のデバイスにおいて任意の数の導波管から任意の数の無線信号を受け取ることと
を含む方法。
【請求項１０】
任意の数の縦通材内の任意の数の導波管がビークル内のネットワークの一部であり、且つネットワークが、任意の数の伝送線路、任意の数の光ケーブル、及び任意の数のエアインターフェースのうちの少なくとも一つを更に含む、請求項９に記載の方法。
【手続補正２】
【補正対象書類名】明細書
【補正対象項目名】０００６
【補正方法】変更
【補正の内容】
【０００６】
有利な一実施形態では、装置は、チャネルを有する縦通材と、チャネル内部に位置する導波管とを備えている。導波管は、任意の数の無線信号を搬送することができる。別の有利な実施形態では、航空機のネットワークデータ処理システムは、複数の複合縦通材と複数のデバイスとを備えている。複数のデバイス及び縦通材がネットワークデータ処理システムの一部であり、ネットワークデータ処理システムがビークル内に位置している。複数の複合縦通材は、航空機の外板に取り付けられて、任意の数の無線信号を搬送することができる。ネットワークデータ処理システムは、ヘルスモニタリングシステム、フライトコントロールシステム、機内エンタテイメントシステム、及び環境制御システムのうちから選択された少なくとも一つであってもよい。
【手続補正３】
【補正対象書類名】明細書
【補正対象項目名】０００７
【補正方法】変更
【補正の内容】
【０００７】
複数の複合縦通材は、航空機の外板に取り付けられて、任意の数の無線信号を搬送することができる。任意の数の無線信号は、情報信号及び動力信号から選択された少なくとも一つである。複数の複合縦通材の各々は、第１のチャネル、第１のチャネル内部に位置する発泡材料、第２のチャネル、及び第２のチャネル内部に位置する導波管を備えている。導波管が、第２のチャネルの壁に取り付けられた金属材料を含んでもよい。複数のデバイスは、複数の複合縦通材に関連付けられており、複数の複合縦通材内で任意の数の無線信号を交換することができる。
【手続補正４】
【補正対象書類名】明細書
【補正対象項目名】００７９
【補正方法】変更
【補正の内容】
【００７９】
更に、種々の有利な実施形態は、他の有利な実施形態とは異なる利点を提供しうる。選択された一又は複数の実施形態は、実施形態の原理、実用的な用途を最もよく説明するため、並びに他の当業者が、考慮される特定の用途に適した様々な修正例と共に種々の実施形態の開示内容を理解することができるように、選ばれ、記載されている。
また、本願は以下に記載する態様を含む。
（態様１）
チャネルを有する縦通材と、
チャネル内部に位置して、任意の数の無線信号を搬送することができる導波管と
を備えている装置。
（態様２）
縦通材と関連付けられて、導波管内を搬送される任意の数の無線信号を交換することができる複数のデバイス
を更に備えている、態様１に記載の装置。
（態様３）
縦通材は、航空機の胴体の外板、航空機の翼の外板、航空機のフレーム、及び航空機のリブのうちの一つに取り付け可能である、態様１に記載の装置。
（態様４）
複数のデバイス及び縦通材がネットワークデータ処理システムの一部である、態様２に記載の装置。
（態様５）
ネットワークデータ処理システムがビークル内に位置している、態様４に記載の装置。
（態様６）
ネットワークデータ処理システムが、ヘルスモニタリングシステム、フライトコントロールシステム、機内エンタテイメントシステム、及び環境制御システムのうちから選択された少なくとも一つである、態様４に記載の装置。
（態様７）
各々が関連する導波管を有している任意の数の縦通材
を更に備えている、態様１に記載の装置。
（態様８）
導波管へのアクセス点
を更に備えている、態様１に記載の装置。
（態様９）
アクセス点が、伝送線路、プローブ、及びアンテナのうちの一つからなっている、態様８に記載の装置。
（態様１０）
縦通材が、
第１のチャネルを有する複合材料部分と、
第１のチャネル内部に位置する発泡材料であって、第２のチャネルを有し、第２のチャネル内に導波管が位置している発泡材料と
を含んでいる、態様１に記載の装置。
（態様１１）
導波管が、第２のチャネルの壁に取り付けられた金属材料を含んでいる、態様１０に記載の装置。
（態様１２）
縦通材が内部に取り付けられている航空機
を更に備えている、態様１に記載の装置。
（態様１３）
縦通材が、
チャネルを有する複合縦通材と、
チャネル内に位置して導波管を形成している導電材料と
を含んでいる、態様１に記載の装置。
（態様１４）
ビークル内で無線信号を送信するための方法であって、
ビークル内において、第１のデバイスから任意の数の縦通材内に位置する任意の数の導波管の中へと任意の数の無線信号を送信することと、
任意の数の縦通材内の任意の数の導波管内で任意の数の無線信号を搬送することと、
第２のデバイスにおいて任意の数の導波管から任意の数の無線信号を受け取ることと
を含む方法。
（態様１５）
任意の数の縦通材内の任意の数の導波管がビークル内のネットワークの一部であり、且つネットワークが、任意の数の伝送線路、任意の数の光ケーブル、及び任意の数のエアインターフェースのうちの少なくとも一つを更に含む、態様１４に記載の方法。
【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
疎水性材料の製造方法において、
パーライト又はバーミキュライトを含む多孔質天然鉱物を準備する工程と、
シリコーンゴムを含むシリコーン系材料を準備する工程と、
前記シリコーン系材料を密閉容器内で加熱して前記シリコーン系材料の蒸気分子を放出させる工程と、
前記シリコーン系材料の前記蒸気分子を堆積させることにより前記天然鉱物の表面上に疎水性材料の層を形成する工程と、を含み、
前記製造方法が、触媒又は硬化剤の非存在下で行われる
ことを特徴とする疎水性材料の製造方法。
【請求項２】
前記シリコーン系材料は、次の天然鉱物へのコーティングに再使用することができ、前記シリコーン系材料が再生硬化シリコーンゴムであることを特徴とする請求項１に記載の疎水性材料の製造方法。
【請求項３】
前記シリコーン系材料を加熱する工程が架橋反応を引き起こすことを特徴とする請求項１に記載の疎水性材料の製造方法。
【請求項４】
前記シリコーン系材料を加熱する工程が切断反応を引き起こすことを特徴とする請求項１に記載の疎水性材料の製造方法。
【請求項５】
前記シリコーン系材料を加熱する工程が、１００℃以上４００℃以下の所定温度に加熱することを特徴とする請求項１に記載の疎水性材料の製造方法。
【請求項６】
前記シリコーン系材料を加熱する工程が、蒸着時の圧力が０．５気圧以上２気圧以下となるよう加熱することを特徴とする請求項５に記載の疎水性材料の製造方法。
【請求項７】
前記パーライト又はバーミキュライトを含む天然鉱物を準備する工程が、
前記パーライト又はバーミキュライトを含む天然鉱物を加熱炉内で７６０℃以上９８０℃以下の温度に加熱して膨張させる工程と、
膨張した前記天然鉱物を空気圧でサイクロン分級機に運ぶ工程と、
分級された前記天然鉱物を収集装置で収集する工程と、
前記分級された天然鉱物を１００℃以上４００℃以下の温度に冷却する工程と、を含む
ことを特徴とする請求項１に記載の疎水性材料の製造方法。
【請求項８】
前記蒸気分子を堆積させる工程が、物理的蒸着、化学的蒸着及びプラズマ蒸着のうちの少なくとも一つを含むことを特徴とする請求項１に記載の疎水性材料の製造方法。
【請求項９】
前記多孔質天然鉱物が、軽石、珪藻岩、ベントナイト及びゼオライトのうちの少なくとも一つを含むことを特徴とする請求項１に記載の疎水性材料の製造方法。
【請求項１０】
前記多孔質天然鉱物が、二酸化ケイ素、酸化アルミニウム、ケイ酸塩、アルミン酸塩及び炭酸塩のうちの少なくとも一つから構成されることを特徴とする請求項１に記載の疎水性材料の製造方法。
【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
女性生殖器系、肛門および陰茎の、癌、前癌性状態および非癌性状態の光力学的治療に使用される、
a）5-ALA、5-ALAの前駆体、5-ALAの誘導体、およびそれらの薬学的に許容される塩から選択される活性成分；
b）1つ以上のトリグリセリド；ならびに
c）任意に、1つ以上の粘度増強剤
を含む、半固体医薬品。
【請求項２】
前記活性成分が、5-ALAの誘導体またはその薬学的に許容される塩である、請求項1に記載の半固体医薬品。
【請求項３】
前記活性成分が、5-ALAエステルまたはその薬学的に許容される塩である、請求項2に記載の半固体医薬品。
【請求項４】
前記活性成分が、下記式（I）の化合物またはその薬学的に許容される塩であり：R22N-CH2COCH2-CH2CO-OR1        (I)
式中、
R1は、置換または非置換アルキル基を表し；および
R2は、それぞれ独立して、水素原子またはR1基を表す
請求項1〜3のいずれか一項に記載の半固体医薬品。
【請求項５】
前記1つ以上のトリグリセリドが、グリセロールと、3つの同一または異なるC2〜C22脂肪酸とのトリグリセリドである、請求項1〜4のいずれか一項に記載の半固体医薬品。
【請求項６】
前記脂肪酸が、3つの同一または異なるC6〜C12脂肪酸である、請求項5に記載の半固体医薬品。
【請求項７】
前記1つ以上のトリグリセリドが液体トリグリセリドであり、1つ以上の粘度増強剤が存在する、請求項1〜6のいずれか一項に記載の半固体医薬品。
【請求項８】
前記1つ以上の粘度増強剤が、セルロースおよびその誘導体、合成ポリマー、ポリエチレングリコール、植物ガム、デンプンおよびデンプン誘導体、カラギーナン、寒天、ゼラチン、ロウおよびロウ状固体、固体脂肪アルコールまたは固体脂肪酸から選択される、請求項7に記載の半固体医薬品。
【請求項９】
前記1つ以上の粘度増強剤が、ロウまたはロウ状固体から選択される、請求項8に記載の半固体医薬品。
【請求項１０】
d）任意に1つ以上の乳化剤、
e）任意に1つ以上の粘膜付着剤、
f）任意に、b）およびc）以外の1つ以上の薬学的に許容される添加物、
g）任意に1つ以上の表面浸透剤、ならびに
h）任意に1つ以上のキレート剤
をさらに含む、請求項1〜9のいずれか一項に記載の半固体医薬品。
【請求項１１】
前記半固体医薬品がグリコールまたはグリセロール不含有である、請求項1〜10のいずれか一項に記載の半固体医薬品。
【請求項１２】
前記半固体医薬品が水不含有である、請求項1〜11のいずれか一項に記載の半固体医薬品。
【請求項１３】
薬剤送達系に含有される、請求項1〜12のいずれか一項に記載の半固体医薬品。
【請求項１４】
前記薬剤送達系が、ペッサリー[pessaries]、ダイアフラム[diaphragms]、キャップ[caps]、粘着包帯[adhesive bandages]またはパッチから選択される、請求項13に記載の半固体医薬品。
【請求項１５】
a）5-ALA、5-ALAの前駆体、5-ALAの誘導体、およびそれらの薬学的に許容される塩から選択される活性成分；
b）1つ以上のトリグリセリド；ならびに
c）任意に1つ以上の粘度増強剤
からなる、半固体組成物。
【請求項１６】
前記活性成分が、5-ALAエステルまたはその薬学的に許容される塩である、請求項15に記載の半固体組成物。
【請求項１７】
前記活性成分が、下記式（I）の化合物またはその薬学的に許容される塩であり：R22N-CH2COCH2-CH2CO-OR1 (I)
式中、
R1は、置換または非置換アルキル基を表し；および
R2は、それぞれ独立して、水素原子またはR1基を表す
請求項15または16に記載の半固体組成物。
【請求項１８】
前記1つ以上のトリグリセリドが、グリセロールと、3つの同一または異なるC2〜C22脂肪酸とのトリグリセリドから選択される液体トリグリセリドである、請求項15〜17のいずれか一項に記載の半固体組成物。
【請求項１９】
前記脂肪酸が、3つの同一または異なるC6〜C12脂肪酸である、請求項18に記載の半固体組成物。
【請求項２０】
前記1つ以上の粘度増強剤が、セルロースおよびその誘導体、合成ポリマー、ポリエチレングリコール、植物ガム、デンプンおよびデンプン誘導体、カラギーナン、寒天、ゼラチン、ロウおよびロウ状固体、固体脂肪アルコールまたは固体脂肪酸から選択される、請求項15〜19のいずれか一項に記載の半固体組成物。
【請求項２１】
前記1つ以上の粘度増強剤が、ロウまたはロウ状固体から選択される、請求項20に記載の半固体組成物。
【請求項２２】
前記半固体組成物がグリコールまたはグリセロール不含有である、請求項15〜21のいずれか一項に記載の半固体組成物。
【請求項２３】
前記半固体組成物が水不含有である、請求項15〜22のいずれか一項に記載の半固体組成物。
【請求項２４】
a）5-ALA、5-ALAの前駆体、5-ALAの誘導体、およびそれらの薬学的に許容される塩から選択される活性成分；
b）1つ以上のトリグリセリド；ならびに
c）任意に1つ以上の粘度増強剤
のみからなる、半固体組成物。
【請求項２５】
薬剤として使用される、請求項15〜24のいずれか一項に記載の半固体組成物。
【請求項２６】
請求項1〜14のいずれか一項に記載の半固体医薬品または請求項15〜24のいずれか一項に記載の半固体組成物と、薬剤送達系とからなるキット。
【請求項２７】
前記薬剤送達系が、ペッサリー[pessaries]、ダイアフラム[diaphragms]、キャップ[caps]、粘着包帯[adhesive bandages]またはパッチから選択される、請求項26に記載のキット。
【請求項２８】
女性生殖器系、肛門および陰茎における、癌、前癌性状態および非癌性状態の光力学的治療において使用される、請求項1〜14のいずれか一項に記載の半固体医薬品、請求項15〜24のいずれか一項に記載の半固体組成物、または、請求項26または27に記載のキット。
【請求項２９】
女性生殖器系、肛門および陰茎における、異形成症およびHPV感染の光力学的治療において使用される、請求項28に記載の、半固体医薬品、半固体組成物またはキット。
【請求項３０】
子宮内膜、子宮頸部、膣、外陰、肛門および陰茎の異形成症、ならびに子宮、子宮頸部、膣、外陰、肛門および陰茎のHPV感染の光力学的治療において使用される、請求項29に記載の、半固体医薬品、半固体組成物またはキット。